Podtech/llm-jp-corpus-v4-ja_patent huggingface dataset:
(57)【要約】      （修正有）【課題】足と足裏の筋肉群のストレッチと運動を何時でもどんな場所でも行えるポータブルな着用可能な下肢用ストレッチ装置を提供する。【解決手段】足を乗せる平面の台１０１と底部が樋型の凸状曲面からなり、その平面の台１０１には足を固定するための１本以上のベルトが装着されておりベルクロによって簡単に結束が可能となる。補助具として厚みのある平面パッド３０、楔形パッド３１を用途に応じてベルクロにて貼り付け使用する。【選択図】図５
0003176759.tif 000002
【実用新案登録請求の範囲】
【請求項１】
足を乗せる平面の台と底部が樋型の凸状曲面からなり、その平面の台には足裏を固定するための１本以上のベルトが装着されている下肢用ストレッチ装置
【請求項２】
補助具としての平面パッドをベルクロにて平面の台の上部に貼り付ける事により筋肉への負荷を増加さす事を特徴とする請求項１の下肢用ストレッチ装置
【請求項３】
補助具としての楔形のパッドをベルクロにて平面の台の上部に貼り付ける事によりＯ脚補正を行うことを特徴とする請求項１の下肢用ストレッチ装置
【考案の詳細な説明】
【技術分野】
【０００１】  本考案は、足のストレッチのための着用可能な運動装置であって更に詳しくは足や足裏の筋肉群のための運動装置である。
【背景技術】
【０００２】  人体の色々な筋肉群は筋肉収縮を促進する負荷を与える連続運動を通じて、運動速度や瞬発力を強化することが出来る。適切な運動が筋収縮を促進してそれによって瞬発力を向上させるのに役立つ運動が証明されているが、集中的に激しい運動をするか又は不適切な運動により痛みをもたらす事が多々ある。このような場合、休養と適切なマッサージにより痛みを軽くすることが出来るかもしれないが、筋肉を伸ばす事がより重要である。
【考案の開示】
【考案が解決しようとする課題】
【０００３】  しかし足と足裏の緊張を伸ばす既存の装置は嵩張っていてトレーニングや運動を行うことが出来る場所は制限され、これは多忙な現代人にとって不都合である。其の上子どもたちは今日運動がしばしば欠如しがちで彼らの唯一の筋肉の幾つかがより使われないので偏平足奇形が起こり易い。そのような後天性変形は適当なトレーニングを通じて治癒されるかもしれないが、適当で便利な装置が現在この目的のためには存在しない。
【課題を解決するための手段】
【０００４】  考案者は着用可能な足ストレッチ用の運動装置であって、既存の嵩張ったストレッチ用運動装置の種々の不便さを考慮して足と足裏の筋肉群のストレッチと運動を何時でもどんな場所でも行えるポータブルな運動装置である。
また本考案の装置は筋肉群のストレッチの他バランス感覚を養うことも可能である。
本装置は足を乗せる平面の台と底部が樋型の凸状曲面からなり、その平面の台には、足底を固定するための１本以上のベルトが装着されており、ベルクロによって簡単に結束できる。
【考案の効果】
【０００５】  本考案は上記の課題を解決するものであり、何時でもどんな場所でも使用することが可能なコンパクトな運動装置であって、装着してじっと立ったり、立ったまま前屈したり上体をひねったりと自分なりのストレッチで効果的に利用出来る。また装着して歩くことによって足および足裏のストレッチはもとよりバランス感覚も養える効果がある。
【考案を実施するための最良の形態】
【０００６】  以下、添付図面を参照して本考案の好適な実施の形態を詳細に説明する。尚下記の実施例は本考案の好適な実施例を示したに過ぎず、本考案の技術的範囲は、下記実施例そのものに何ら限定されるものではない。
図１は本考案のストレッチ用運動装置の図であり、図示の通り着用可能な運動装置（１０）は、樋型の凸状球面（１０２）の上に平面のステップ（足載せ台）（１０１）があり足を固定さすために１本以上のベルト（２０）が装着されている。
【実施例１】
【０００７】  図２の様に着用可能な運動装置（１０）の平面（１０１）につま先を乗せ２本のベルト（２０）によってしっかりと固定させます。
そして踵を地面に着け、つま先を上に傾けるように順番に重心を踵に移します。それによって足と足裏の筋肉群を引っ張ってリラックスさせます。また装着したまま歩くことによって足および足裏部の筋肉群を訓練することが出来ます。
【実施例２】
【０００８】  図３の様に着用可能な運動装置（１０）の平面（１０１）に踵を乗せ２本のベルト（２０）によってしっかりと固定させます。
そしてつま先を地面に着け、踵を上に傾けるように順番に重心をつま先に移します。
そしてそれによって足と足裏の筋肉群を引っ張ってリラックスさせます。また装着したまま歩くことによって足および足裏の筋肉群を訓練することが出来ます。
【実施例３】
【０００９】  図４の様に着用可能な運動装置（１０）の平面（１０１）に足裏の中間部を置き、２本のベルト（２０）によってしっかりと固定させます。
そして重心を運動装置（１０）の凸状球面（１０２）の中心に集中させます。
装着したまま静止または歩き回ることによってバランス能力を鍛えることが出来ます。
【実施例４】
【００１０】  図５の様に着用可能な運動装置（１０）の平面（１０１）に、２種類の補助具即ち１つは厚みのある平面パッド（３０）、もう１つは楔形のパッド（３１）を用途に応じてベルクロにて貼り付けて使用する。
即ち平面パッド（３０）を貼り付ける場合は着用可能な運動装置（１０）の高さを増加し、トレーニングに於いて効果的に足と足裏の筋力を高めて、バランス能力を強化することが出来ます。
このように着用可能な運動装置（１０）は、後天性偏平足奇形を改善するために特に役に立ちます。
また、楔形のパッド（３１）は、下半身が内側に向かって補正されるため、Ｏ脚の補正に効果があります。
【図面の簡単な説明】
【００１１】
【図１】  本考案の装置の立体図
【図２】  本考案の装置を足のつま先部分に装着した図
【図３】  本考案の装置を足の踵部分に装着した図
【図４】  本考案の装置を足の中間部に装着した図
【図５】  本考案の装置に平面パッドおよび楔型パッドを装着した図
【符号の説明】
【００１２】      １０      装着可能な運動装置
２０      バンド
３０      補助具（平面パッド）
３１      補助具（楔型パッド）
１０１      足載せ台
１０２      樋型凸状球面
【図１】
0003176759.tif 000003
【図２】
0003176759.tif 000004
【図３】
0003176759.tif 000005
【図４】
0003176759.tif 000006
【図５】
0003176759.tif 000007
(57)【要約】      （修正有）【課題】収穫直後のジャガイモのような塊状物に付着している土をすばやく簡単に振るい落とすための土落し用ネット構造物を提供する。【解決手段】円筒状のネット１と、該円筒状のネットの下端に設けられた底部ネット２と、該円筒状のネットの上方部分に取り付けられた剛性の環状部材３と該筒状のネットの上端部に取り付けられた紐４とからなり、該紐を絞ることによって該円筒状のネットの上端をその中心部に向かって閉じるように形成する。【選択図】図１
0003176757.tif 000002
【実用新案登録請求の範囲】
【請求項１】
円筒状のネットと、該円筒状のネットの下端に設けられた底部ネットと、該円筒状のネットの上方部分に取り付けられた剛性の環状部材と、該円筒状のネットの上端部に取り付けられた紐とからなり、該紐を絞ることによって該円筒状のネットの上端をその中心部に向かって閉じるようにした土が付着した塊状物の土落とし用ネット構造物。
【考案の詳細な説明】
【技術分野】
【０００１】  本考案は収穫直後のジャガイモのような塊状物に付着した土をすばやく簡単に振り落とすための土落とし用ネット構造物に関する。
【背景技術】
【０００２】  ジャガイモのような塊状物を出荷する時土を落とす必要がある。
これまでは、収穫直後のジャガイモを大きな四角いザルに入れて振っていた。しかし、上部があいているため、一度に沢山のジャガイモを入れると、振った時十分にこすり合わすことができず土を満足に落とせなかった。
【考案の概要】
【考案が解決しようとする課題】
【０００３】  本考案は、上記の如き従来の問題を解決し、収穫したジャガイモのような塊状物に付着した土などをすばやく簡単に振り落とすことができる手段を提供することである。
【課題を解決するための手段】
【０００４】  本考案者は、上記の目的を達成すべく鋭意検討した結果、魚釣用のビクに着目し、それを改良して土落とし用ネットを完成するに至った。【０００５】  かくして、本考案は円筒状のネットと、該円筒状のネットの下端に設けられた底部ネットと、該円筒状のネットの上方部分に取り付けられた剛性の環状部材と、該円筒状のネットの上端部に取り付けられた紐からなり、該紐を絞ることによって該円筒状のネットの上端をその中心部に向かって閉じるようにした土が付着した塊状物の土落とし用ネット構造物を提供するものである。
【考案の効果】
【０００６】  本考案のネット構造物を用いれば、収穫直後のジャガイモ等の塊状物に付着した土をすばやく一度に沢山振り落とすことができ、農作業の時間、人手を大幅に短縮することができる。【０００７】  しかも、ネット構造物として魚釣用ビクを改良利用することができ、コストも節減することができる。
【図面の簡単な説明】
【０００８】
【図１】本考案の土落とし用ネット構造物の概略図である。
【図２】本考案のネット構造物の折り畳んだ状態の概略図である。
【考案を実施するための態様】
【０００９】  以下、本考案の土落とし用ネット構造物について、図１及び２を参照しつつさらに詳細に説明する。
【００１０】  図１において、（１）は円筒状のネットであり、その円筒状のネットの下端は環状の金属ワイヤー（５）で補強し、底部ネット（２）が設けられる。
【００１１】  また、円筒状のネット（１）には、必要に応じて、１つまたは複数のくびれ部（８）を設けるようにしてもよい。
【００１２】  ネットの材質は、ネットに収納される塊状物の重量に耐えるだけの強度を有するものである限り、特に制限されるものでなく、例えば、麻、綿などの天然繊維製、ナイロン、ポリエステルなどの合成繊維製であることができる。また、ネットの目の大きさは、収納する塊状物が目を通過して外に飛び出すことがない程度であれば、特に制限はない。
【００１３】  一方、円筒状のネット（１）の上方部分には、ネット構造物を手に持って振るうことができるように剛性の環状部材（３）を取り付けられる。この把持用環状部材（３）としては、例えば、繊維強化されたガス又は水道用ホースを利用することができる。
【００１４】  環状部材（３）より上方に伸びる円筒状ネット部分（６）は、その上端部に紐（４）を取り付け、その紐（４）を絞ることによって、該円筒状ネットの上端（７）をその中心部に向かって閉じるようにすることができ、それによって魚釣用のビクと類似の形態とすることができる。
【００１５】  以上に述べた如き形状、構造を有する本考案のネット構造物は、収穫直後のジャガイモやサツマイモのような塊状物に付着した土などを振り落とすために使用することができるが、それに限らず、野球ボールなどに付着した土を振り落とすために使用することもできる。
【００１６】  土が付着したジャガイモを例にとって、本考案のネット構造物を用いてジャガイモに付着した土を振るい落とす方法についてさらに説明する。
【００１７】  本考案のネット構造物を図２に示すように折りたたんだ状態で、ネット構造物の上端（７）上に収穫した適当量のジャガイモをのせ、把持用環状部材（３）を持ちあげる。そうするとジャガイモは自重で自然にネットの中に入り、紐（４）を片手で引き上げると、上端部（７）の口がしまり、反対の手で底面金属ワイヤー（５）を持ち、４、５回振る。その結果、ジャガイモはネット構造物の中で相互に且つネットとこすり合わされ、傷がつくことなく、付着した土を振るい落とすことができる。また、大量にジャガイモのような塊状物をネットの中に入れた時は下において振ることもできる。
【符号の説明】
【００１８】１：円筒状のネット
２：底部のネット
３：把持用環状部材
４：紐
【図１】
0003176757.tif 000003
【図２】
0003176757.tif 000004
(57)【要約】【課題】壁に絵を貼り付けるなどの作業は，壁に傷がつく等の理由から借家，持ち家何れも歓迎されない内容であるので，壁に傷をつけずに室内の装飾として室内を美しく飾る事が出来る構造的欠陥をなくした，ディスプレイパネルを提供する。【解決手段】板状にした発泡スチロール（１）の表面に絵柄生地（６）を取り外し可能なノリで貼って箱（２）をのりで（１）の絵柄の裏に固定し，もう一つの箱（３）は取り外し可能なノリ，両面テープ又は，画鋲で壁に固定し，（２）を（３）に差込み固定するが，外れ止め凸部（４）をはずれ止め凹部（５）に指し込み多少触っても外れないようにしたことを特徴とする。【選択図】図４
0003176755.tif 000002
【実用新案登録請求の範囲】
【請求項１】
板状にした発泡スチロール（１）の表面に絵柄の付いた布（６）を取り外し可能なノリで貼り，箱（２）の底の裏側（１）の裏側にのりで固定し，もう一つの箱（３）は取り外し可能なノリ，両面テープ又は，画鋲で壁に固定し，（２）を（３）に差込み固定するが，外れ止め凸部（４）をはずれ止め凹部（５）に差し込み多少触っても外れないようにしたことを特徴としたディスプレイパネル。
【請求項２】
箱（２）（３）の素材は，紙に変えて（１）（２）（３）全て発泡スチロールを使用して製作する請求項１に記載するディスプレイパネル。
【請求項３】
板状の発泡スチロール（１）と箱（２）（３）の素材は，全て木材，合成樹脂，金属を使用して製作する請求項１に記載するディスプレイパネル。
【考案の詳細な説明】
【技術分野】
【０００１】この考案は，自分の好みの模様の生地をパネルに貼り、飾りとして壁に取り付けるためのディスプレイパネルに関する。
【背景技術】
【０００２】従来，壁にかける飾りは額縁に入れて壁にかけることは一般的な方法であったが，本考案では発泡スチロールのような軽い素材のパネルに自分の好みの模様の生地を貼り壁に飾っておくためのものであるが，広報ＤＢ（特許文献１参照）にもディスプレイ装置として提案されているが内容に大きな違いがある。
【先行技術文献】
【特許文献】
【０００３】
【特許文献１】特開２００９−１５１０６１号広報ＤＢ
【考案の概要】
【考案が解決しようとする課題】
【０００４】従来，自分の好きな模様の生地を壁に飾るときは、直接壁にのりで貼り付けるか釘で打ちつけるか又は，額縁に入れて飾るなど方法が限られている。
しかし，壁に貼れば全て目的が達成できるものではなく美的センスを問われる分野であるため，特に美しく完成させることを必要としている。
【課題を解決するための手段】
【０００５】課題を解決するため以下の構成とした。
表側を発泡スチロールを板状にして，絵柄の生地（６）を貼り，裏側に紙箱を固定して図４で示す構造にして且つ，壁に貼り付ける箱（３）の裏側を自由に取り外し出来るノリ，両面テープ又は，画鋲で壁に固定する。
壁に固定した（３）に板状にした発泡スチロールに貼り付けた箱（２）を１８０度右に回転させて，組み合わせたディプレイパネルであり使った結果は，美しく且つ，簡単に取り付け，取り外しが出来る構造とした。
【考案の効果】
【０００６】本考案は，下記の効果を有する。
（１）自分の好きな絵柄を自由に壁に飾る事が出来る。
（２）飾ったものを違った絵柄のものに交換する場合は，簡単にできる。
（３）影が出来てきれいで，楽しい雰囲気で生活が出来る。
（４）画鋲が表にでない上品さもある。
【図面の簡単な説明】
【０００７】
【図１】使用中の正面図
【図２】組み立て背面図
【図３】引き離し側面説明図
【図４】内部分解説明図
【考案を実施するための形態】
【０００８】以下，本考案を実施するための最良の形態について説明する。
図１と図２に示したように好きな絵柄生地（６）を発泡スチロール（１）の表と小口と裏の一部に，取り外し可能な接着剤を塗って，好きな絵柄を自由に貼り付ける。
又，壁に取り付けるために図３の（３）を壁に取り外し可能なノリ，又は画鋲で固定して（２）を右に１８０度回転させて（３）にかぶせる。これによりディスプレイパネルが重要な役目をはたすことになるが，しかし風に吹かれたり，又軽く身体で触れただけでも（２）と（３）がはがれても不都合な事が起こるので，かぶせる時に凸部（４）を凹部（５）に差込み固定させる事にした。
これにより，図３の（２）（３）を組み合わせ（１）の発泡スチロールに絵柄を貼り付けた全部の厚さが，壁から一定の間隔があり，人間が離れて観察するとその間隔が適度な影が発生し美的に優れた美しさを感ずる。
【利用可能性】
ディプレイパネルは，絵柄生地を貼って部屋を美しく飾る本来の目的の他に，板状パネル（１）の表面に貼る絵柄生地に変えてカレンダーを展示することも出来る。
【符号の説明】
【０００９】（１）板状にした発泡スチロール
（２）板状にした発泡スチロールに貼り付けた箱
（３）壁に貼り付けた箱
（４）外れ止め凸部
（５）外れ止め凹部
（６）絵柄生地
【図１】
0003176755.tif 000003
【図２】
0003176755.tif 000004
【図３】
0003176755.tif 000005
【図４】
0003176755.tif 000006
(57)【要約】      （修正有）【課題】多数のカードを整理し易く取り出し易くする為のカードケースを提供する。【解決手段】縦１４センチメートル横１２センチメートルの布地を１０枚重ねて、６センチメートル間隔で交互に縫い合わせる事で１７か所のカード収納ポケットができ、カードを重ね合わすと最大３４枚のカードを収納する事ができるカードケースを形成する。さらに、該カードケースをハンドバッグの内側や財布などと合体させた構成とすることで、利便性をさらに向上させることができる。【選択図】図２
0003176758.tif 000002
【実用新案登録請求の範囲】
【請求項１】
縦１４センチメートル横１２センチメートルの布を１０枚重ねて６センチメートル間隔で交互に縫い合わせたカード収納ケース
【考案の詳細な説明】
【技術分野】
【０００１】本考案は多数のカードを整理し易く収納できるケースである
【背景技術】
【０００２】商店、百貨店などで発行される多数のポイントカードを財布などに入れていて提示の際探すのに時間を要している
【考案が解決しようとする課題】
【０００３】本考案のカードケースは１７枚から最大３４枚のカードが収納可能でしかもカードの頭部が出ている為探し易く瞬時に取り出せて支払時の提示がスムースになる
【課題を解決する為の手段】
【０００４】本考案のカードケースは縦１４センチメートル横１２センチメートルの布地を１０枚重ねて交互に縫い合わせ直径６センチメートルのポケットを１７個作る事で最大３４枚のカードを収納できる事で整理し易く取り出し易くして問題を解決している
【考案の効果】
【０００５】上述の様に本考案のカードケースは最大３４枚のカードを収納して持ち歩け財布などと合体することで今までに無かったカードケースとして役立つ
【図面の簡単な説明】
【０００６】
【図１】本考案のカードケースの正面図である
【図２】本考案のカードケースの側面図である
【考案を実施するための形態】
【０００７】縦１４センチメートル横１２センチメートルの１０枚の布を重ねて６センチメートル間隔で交互に縫い合わせる事で１７個のポケットが出来て合計３４枚までのカードを収納出来る
ハンドバッグの内側、財布などと合体する事が出来る
【図１】
0003176758.tif 000003
【図２】
0003176758.tif 000004
(57)【要約】      （修正有）【課題】追加部品無しに埋め込みナット保持用案内ネジの長さを埋め込みナットの長さや作業性に応じた長さに設定出来る外形ネジ型埋め込みナットの埋め込み自動化治具を提供する。【解決手段】埋め込みナット保持用案内ネジ１ｂに埋め込みナットを保持固定し、埋め込み作業終了時自動的に固定解除する為保持用案内ネジ（通常右ネジ）上に可動する埋め込みナット突き当て固定部２ｂを、先端に案内ネジ部を持った治具本体回転軸１ａの中間に、案内ネジと反方向ネジ（左ネジ）で保持した埋め込み自動化治具に於いて、同保持雌ネジの長さを同保持雄ネジの長さに可変長さを加えた長さとして、治具本体回転軸１ａの突き当て固定部保持雄ネジ１ｃに、先端が埋め込みナット突き当て固定部２ｂの保持雌ネジ１ｃを螺合させ、突き当て固定部から出ている埋め込みナット保持ネジの長さを設定する。【選択図】図１
0003176753.tif 000002
【実用新案登録請求の範囲】
【請求項１】
外形ネジ型埋め込みナットの埋め込み自動化治具に関して、埋め込みナット保持固定用案内ネジ（普通１般には右ネジ）を先端に設けた治具本体回転軸の中間に、埋め込みナットを保持固定案内ネジの設定位置に保持固定し、埋め込み完了すると自動的に固定解除するための埋め込みナット突き当て固定部を先端に設けた治具本体外筒に、突き当て固定部操作兼保持位置設定用雌ネジ（埋め込みナット保持固定案内ネジと反対ネジの左ネジ）に羅合する埋め込みナット突き当て固定部保持用雄ネジを設け、治具本体軸に対し治具本体外筒を回転することに拠って埋め込みナット保持固定用案内ネジの長さを、ナット埋め込み作業の作業性の最良位置に設定出来る事を特徴とする外形ネジ型埋め込みナットの埋め込み自動化治具。
【考案の詳細な説明】
【技術分野】
【０００１】  本考案は、外形ネジ型埋め込みナットの埋め込み自動化治具に関する物である。
【背景技術】
【０００２】  埋め込みナットの外形や材質が多様化し同一ネジ寸の埋め込みナットでもその長さに長短各種が存在して来た為その埋め込み加工性の向上の為に埋め込み治具の埋め込みナット保持用案内ネジの長さをその作業性に合うよう設定出来るようにする。
【考案の開示】
【考案が解決しようとする課題】
【０００３】  外形ネジ型埋め込みナットの埋め込み自動化治具に関して、埋め込みナット保持用案内ネジに埋め込みナットを保持固定し、埋め込み作業終了時自動的に固定解除する為保持用案内ネジ（通常右ネジ）上に可動する埋め込みナット突き当て固定部を、先端に案内ネジ部を持った治具本体回転軸の中間に、案内ネジと反方向ネジ（左ネジ）で保持した埋め込み自動化治具に於いて、先端案内ネジの突き当て固定部から先端迄の長さを埋め込みナットの長さや作業性に拠って変更する事が必要に成って来た。
【課題を解決するための手段】
【０００４】  埋め込みナット保持用案内ネジに埋め込みナットを保持固定し、埋め込み作業終了時自動的に固定解除する為保持用案内ネジ（通常右ネジ）上に可動する埋め込みナット突き当て固定部を、先端に案内ネジ部を持った治具本体回転軸の中間に、案内ネジと反方向ネジ（左ネジ）で保持した埋め込み自動化治具に於いて、同保持雌ネジの長さを同保持雄ネジの長さに可変長さを加えた長さとして、治具本体回転軸の突き当て固定部保持雄ネジに、先端が埋め込みナット突き当て固定部の保持雌ネジを螺合させ、突き当て固定部から出ている埋め込みナット保持ネジの長さを接定する事が出来る様にする。
【考案の効果】
【０００５】  上述の様に本考案により追加部品無しに埋め込みナット保持用案内ネジの長さを埋め込みナットの長さや作業性に応じた長さに設定出来る外形ネジ型埋め込みナットの埋め込み自動化治具が提供出来る。
【考案を実施するための最良の形態】
【０００６】  外形ネジ型埋め込みナットの埋め込み自動化治具の本体回転軸の中間に、埋め込みナット保持固定用案内ネジの外形に合った埋め込みナットの突き当て固定部を保持する谷経が回転軸経より大きめの突き当て固定部保持用雄ネジ（案内ネジが普通の右ネジの場合左ネジ）を埋め込みナット固定時の圧力に耐る長さだけ設け、その後は先端埋め込みナット保持案内ネジの外経の回転軸その先を埋め込みナット保持案内ネジ（右ネジ）とした治具本体回転軸の突き当て固定部保持用雄ネジに螺合する突き当て固定部保持用雄ネジの長さに埋め込みナット保持固定用案内ネジの長さを加いた長さの雌ネジを持つ治具本体外筒の先が埋め込みナット突き当て固定部になった埋め込みナット保持用案内ネジ経の回転軸の軸受け穴の有る突き当て固定部の外経の段付き円筒の２部品で構成された、外形ネジ型埋め込みナットの埋め込み自動化治具。
【実施例】
【０００７】  以下、添付図面に従って実施例を説明する。１ａは治具本体回転軸、１ｂは埋め込みナット保持固定用案内ネジ、１ｃは埋め込みナット突き当て固定部保持用雄ネジ（１ｂの反方向ネジ）、１ｄは１ｂと同経の回転軸部、である。【０００８】  ２ａは埋め込みナット突き当て固定部（２ｂ）の外経の円筒を治具本体回転軸（１ａ）に保持すると同時に埋め込みナット保持固定用案内ネジ（１ｂ）の実効長さを設定する為の埋め込みナット突き当て固定部保持用雄ネジの長さに案内ネジ調整代を加いた長さの埋め込みナット突き当て固定部保持用雄ネジ（１ｃ）に羅合する雌ネジ（２ｃ）を備えた治具本体外筒で、（２ｂ）円筒部と段差結合した一体構造であり、埋め込みナット突き当て固定部保持用雄ネジ（１ｃ）に羅合して外形ネジ型埋め込みナットの埋め込み自動化治具を形成する。【０００９】  ３ａは外形ネジ型埋め込みナット、３ｂは埋め込みナットの突き当て固定面である。
【図面の簡単な説明】
【００１０】
【図１】本考案の実施例の構造説明図である。
【図２】埋め込みナット保持固定案内ネジ部（１ｂ）の長さ設定例である。
【図３】埋め込みナット保持固定案内ネジ部（１ｂ）の長さ設定例である。
【符号の説明】
【００１１】１ａ…‥治具本体回転軸
１ｂ…‥埋め込みナット保持固定用案内ネジ
１ｃ…‥埋め込みナット突き当て固定部保持用雄ネジ
１ｄ…‥先端案内ネジと同経の回転軸部
２ａ…‥治具本体外筒
２ｂ…‥埋め込みナット突き当て固定部
２ｃ…‥埋め込みナット突き当て固定部保持兼案内ネジ長さ設定用雌ネジ
３ａ…‥埋め込みナット本体
３ｂ…‥埋め込みナット突き当て固定面
【図１】
0003176753.tif 000003
【図２】
0003176753.tif 000004
【図３】
0003176753.tif 000005
(57)【要約】      （修正有）【課題】安全性向上のため、自動車のヘッドライトの外側又は側面にライトを設けることにより、自動車の曲がる方向を照らすライトを提供する。【解決手段】自動車のヘッドライト外側及び側面にライトを設け、方向指示器に連動し、レバーを上げる事に依り上げた方のランプが点灯し、方向指示器のレバーが戻るとランプを消灯させる。なお、ライトは自動車の曲がる方向を照らせば、ライトの形状、大きさ、取り付け場所は任意で良い。【選択図】図１
0003176738.tif 000002
【実用新案登録請求の範囲】
【請求項１】
自動車のヘッドライト外側、又は側面に方向指示器と連動させたライトを設け、曲がる方向を照らす事に依り、歩行者、自転車、バイク等の安全性が向上する事を特徴とするライト。
【考案の詳細な説明】
【技術分野】
【０００１】  本考案は、自動車のヘッドライトの外側又は、側面にライトを設け、曲がる方向を照らし、左折、右折時に於いて歩行者、自転車、バイク等の安全を図る事を特徴とする。
【背景技術】
【０００２】  自動車が夜間前進して左折、右折する場合、曲がる方向はヘッドライトの明かりだけでは良く見えなく、歩行者、自転車、バイク等接触する事故が多い。
【考案が解決しようとする課題】
【０００３】  従来技術では、夜間自動車が左折、右折する場合、ヘッドライトが正面のみ照らし、曲がる方向が良く確認できなかった為、歩行者、自転車、バイク等に注意が希薄になっていた。
【課題を解決するための手段】
【０００４】  本考案は、自動車のヘッドライト外側、又は側面にライトを設け、方向指示器レバーと連動させ、方向指示灯と同様に、曲がる方向のライトが点灯、消灯し、昼夜問わず点灯すれば、歩行者、自転車、バイク等も自動車の存在に気付き安全性が向上する事を特徴とする。
【考案の効果】
【０００５】  上記目的を達成する為に、自動車のヘッドライト外側又は側面に本考案のライトを設け、左折、右折の際に、方向指示器と連動したランプが点灯する為、歩行者、自転車、バイク等の存在が容易に判り、安全性が向上する。
【考案を実施するための最良の形態】
【０００６】  自動車のヘッドライト外側及び側面に本考案のライトを設け、方向指示器に連動し、レバーを上げる事に依り上げた方のランプが点灯し、方向指示器のレバーが戻るとランプが消灯するが、自動車の曲がる方向を照らせば、ライトの形状、大きさ、取り付け場所は任意で良い。
【実施例】
【０００７】  以上本考案は、自動車のヘッドライト側面に、ライトを取り付けた所を図１、を用いて説明する。
【図面の簡単な説明】
【０００８】
【図１】は、自動車のフロント部分及び、本考案品のライトを表わし、本考案品の図は自動車前部横に描いているが、曲がる方向を照らせば、前面に取り付けても良い。
【符号の説明】
【０００９】１      本考案品の左側ライト２      本考案品の右側ライト３      左側ヘッドライト４      右側ヘッドライト５      左側方向指示器６      右側方向指示器７      自動車のフロントパネル
【図１】
0003176738.tif 000003
(57)【要約】      （修正有）【課題】地震等発生時における冷蔵庫等大型設備の転倒や移動防止効果の向上を図った大型設備用内蔵耐震治具を提供する。【解決手段】冷蔵庫等大型設備本体の上面各隅に上下作動可能なパイプを内蔵し各々のパイプ上部を平板に取付ける。平板が天井等に届くまでパイプを伸ばしてパイプ止ネジで各々のパイプを固定する。【選択図】図２
0003176732.tif 000002
【実用新案登録請求の範囲】
【請求項１】
冷蔵庫等大型設備本体の上面各隅に上下作動可能なパイプを内臓し各々のパイプ上部を平板に取付ける。  平板が天井等に届くまでパイプを伸ばしてパイプ止ネジで各々のパイプを固定することにより地震等発生時における冷蔵庫等大型設備の転倒や移動防止効果を飛躍的に向上させるための冷蔵庫等大型設備用内蔵耐震治具
【考案の詳細な説明】
【技術分野】
【０００１】本考案は地震等発生時における冷蔵庫等大型設備用内蔵耐震治具に関する
【背景技術】
【０００２】従来の耐震治具は設備と別になっている
【考案の開示】
【考案が解決しようとする課題】
【０００３】地震等発生時における冷蔵庫等大型設備の転倒や移動防止効果に欠ける【０００４】本考案は地震等発生時における冷蔵庫等大型設備の転倒や移動防止効果を飛躍的に向上させることにある
【課題を解決するための手段】
【０００５】冷蔵庫等大型設備本体の上面各隅に上下作動可能なパイプを内臓し各々のパイプ上部を平板に取付ける。  平板が天井等に届くまでパイプを伸ばしてパイプ止ネジで各々のパイプを固定する
【考案の効果】
【０００６】地震等発生時における冷蔵庫等大型設備の転倒や移動防止効果を飛躍的に向上させる
【考案を実施するための最良の形態】
【０００７】以下  本考案の実施形態を図面に基づき詳細に説明する【０００８】図１は天井等への固定前を示し  図２は天井等への固定後を示す【０００９】図１は  冷蔵庫等大型設備本体の上面各隅に上下作動可能なパイプを内蔵し各々のパイプを平板に取付け  パイプ止ネジを備えた状態を示す【００１０】図２は  平板が天上等へ届くまでパイプを上げて  パイプ止ネジでパイプをとめ転倒や移動防止策を図った状態を示す
【図１】
0003176732.tif 000003
【図２】
0003176732.tif 000004
【手続補正書】
【提出日】平成24年5月14日(2012.5.14)
【手続補正１】
【補正対象書類名】明細書
【補正対象項目名】全文
【補正方法】変更
【補正の内容】
【考案の詳細な説明】
【技術分野】
【０００１】冷蔵庫等大型設備本体の上面各隅に上下作動可能なパイプを内蔵し各々のパイプ上部を平板に取付ける。  平板が天井等に届くまでパイプを伸ばしてパイプ止ネジで各々のパイプを固定することにより地震等発生時における冷蔵庫等大型設備の転倒や移動防止効果を飛躍的に向上させるための冷蔵庫等大型設備用内蔵耐震治具
【背景技術】
【０００２】従来の耐震治具は設備と別になっている
【考案の開示】
【考案が解決しようとする課題】
【０００３】本考案は地震等発生時における冷蔵庫等大型設備の転倒や移動防止効果を飛躍的に向上させることにある
【課題を解決するための手段】
【０００４】冷蔵庫等大型設備本体の上面各隅に上下作動可能なパイプを内臓し各々のパイプ上部を平板に取付ける。  平板が天井等に届くまでパイプを伸ばしてパイプ止ネジで各々のパイプを固定する
【考案の効果】
【０００５】地震等発生時における冷蔵庫等大型設備の転倒や移動防止効果を飛躍的に向上させる
【図面の簡単な説明】
【０００６】
【図１】立体図は  冷蔵庫等大型設備本の上面各隅に上下作動可能なパイプを内蔵し各々のパイプを平板に取付け  パイプ止ネジを備えた状態を示す
【０００７】
【図２】立体図は  平板が天井等に届くまでパイプを上げて  パイプ止ネジを止め転倒や移動防止策を図った状態を示す
(57)【要約】      （修正有）【課題】急な災害時に確実に、飲料水、乾パン、懐中電灯、ラジオ、予備電池を持ち出し、安全に避難できる非常用持ち出し水枕を提供する。【解決手段】就寝時に使用する枕を、飲料水で満たされた非常用持ち出し水枕１とする事により、日常の就寝時の寝心地の快適さも得られ、夜間の急な災害時にも慌てずに、内部に飲料水として活用する水が入った水枕１の枕本体内に連通する中空で少なくとも一端が着脱自在なストローにもなる取手２を介して持ち出して避難し、避難先での飲料水の確保ができるようになった。枕は身近で日常使用するものなので、枕そのものに、非常用持ち出し袋の機能を持たせることにより、災害時の持ち出し忘れを防ぐ。【選択図】図１
0003176740.tif 000002
【実用新案登録請求の範囲】
【請求項１】
内部に水が充填された枕本体と、同枕本体に装着して、同枕本体内に連通する中空で少なくとも一端が着脱自在なストローにもなる取手とからなることを特徴とする非常用持ち出し水枕。
【請求項２】
上記枕本体に非常用携帯品収納ポケットを装着したことを特徴とする請求項１に記載の非常用持ち出し水枕。
【考案の詳細な説明】
【技術分野】
【０００１】  本考案は、災害時において避難する際、確実に飲料水を持ち出せるようにした非常用持ち出し水枕に関する。
【背景技術】  従来の枕になる水筒のケースでは、枕を開閉できるようにし、枕の中の空間に水筒を収納できるようにしている。また、枕兼用非常持出袋でも枕の中の空間に、災害時に使用する物品を収納している。【０００２】
【先行技術文献】
【特許文献】
【０００３】
【特許文献１】実用新案登録第３０１８０３４号登録公報
【０００４】
【考案の概要】
【考案が解決しようとする課題】
【０００５】  枕に非常用持ち出し袋の機能を持たせた場合、同時に、日常で枕として使用する際の寝心地の快適さも得られる非常用持ち出し水枕を提供する。
【課題を解決するための手段】
【０００６】  内部に水が充填された枕本体と、枕本体に装着して、枕本体内に連通する中空で少なくとも一端が着脱自在なストローにもなる取手とからなる特徴を有し、枕本体には非常用携帯品収納ポケットを装着した非常用持ち出し水枕である。
【考案の効果】
【０００７】  上記構成とした就寝時に使用する枕を、飲料水で満たされた非常用持ち出し水枕とする事により、日常の就寝時の寝心地の快適さも得られ、夜間の急な災害時にも慌てずに、飲料水として活用する水が入った水枕を持ち出して避難し、避難先での飲料水の確保ができるようになった。
【図面の簡単な説明】
【０００８】
【図１】本考案に係わる実施例を示す斜視図である。
【図２】実施例を示す図１のＡ−Ａ線矢視横断面図である。
【図３】水枕本体に着脱自在なストローにもなる取手を装着した非常用持ち出し水枕を示す説明図で、図３ａは、水枕本体に取手を取付けた様子を示す。図３ｂは、水枕本体に装着した取手の一端を取りはずし、ストローとして水枕の中の飲料水を飲んでいる様子示す説明図である。
【図４】日常の就寝時に、通常の水枕として使用している様子を示す斜視図である。
【図５】収納ポケットの懐中電灯を、避難時の照明としている説明図。
【図６】水枕の緩衝力で、人の頭部を落下物から保護している説明図である。
【考案を実施するための形態】
【０００９】  本考案に係わる１実施例を図１から図６を参照して以下説明する。
【実施例】
【００１０】  図１と図２は、本考案に係る１実施例を示し、中央に水枕１、その両サイドに収納ポケット３を配置し、水枕（本体）１内に連通する中空で少なくとも一端が着脱自在な取手２が水枕（本体）１に装着された様子を図示している。通常は、内部を飲料水１４で満たした水枕１を就寝時に使用し寝心地の快適さを得、災害時にはストロー１３にもなる取手２を把握し水枕１を持ち出し避難する事により、日常の寝心地の快適さと、非常用持ち出し袋の機能も持つ水枕１の確実な避難時の持ち出しを両立する。
飲料水１４を飲む際には、水枕１の注水口８のスクリューキャップを開け、取手２の一端を外しストロー１３にして飲む。飲料水１４は、定期的に水枕１下部の排水口９より排水し、水枕上部の注水口８より新しい飲料水を補充する。また避難時には、水枕１部分を人の頭部に乗せ、水枕１の緩衝力により落下物から人の頭部を保護するように活用できる。水枕１の両サイドに装着する収納ポケット３には、懐中電灯５を収納し避難時の照明とする。収納ポケット３には、乾パン６も収納し避難先での食料とする。収納ポケット３には、ラジオ４も収納し避難先で災害情報を受信することはもちろん、日常の就寝時にもラジオ番組を楽しむことができる。就寝時に人の頭部を水枕１に乗せた際、水枕１部分より収納ポケット３の方が高さがあり両サイドから頭部を支持し安定させるため、寝違えの予防ができるようになった。図中の符号７は予備電池を、１０はラジオスイッチを、１１はラジオチューナーを示す。
＊    図２に図示するように、中央は飲料水１４を満たした水枕１で、右側の収納ポケット３には懐中電灯５、予備電池７、ラジオ４を収納し、左の収納ポケット３には乾パン６を収納する。図３は、水枕１の注水口８のスクリューキャップを開け、取手２の一端を外しストロー１３にして、水枕１の中の飲料水１４を飲んでいる様子を示す説明図である。
図４は、日常の就寝時に通常の水枕１として、非常用持ち出し水枕を使用している様子を示し、ラジオ４の聴取も同時にできる様子を示し、図５は、収納ポケット３に懐中電灯５を、避難時の照明としている実施例を図示している。図６は、水枕１の部分を人の頭部に乗せ、水枕１の緩衝作用により落下物から人の頭部を保護している様子を示している。
なお、飲料水としては、スポーツドリンク等を代用する事もできる。
【産業上の利用可能性】
【００１１】  防災意識が高まる中、非常用持ち出し袋の需要が増えており、日常使用する水枕の形態をした非常用持ち出し水枕は利用可能性が高いと予想される。
また、野外活動のキャンプ等でも、本考案の非常用持ち出し水枕を使用する事もできる。
【符号の説明】
【００１２】  １・・・水枕（本体）
２・・・ストローにもなる取手
３・・・収納ポケット
４・・・ラジオ
５・・・懐中電灯
６・・・乾パン
７・・・予備電池
８・・・注水口
９・・・排水口
１０・・・ラジオスイッチ
１１・・・ラジオチューナー
１２・・・ファスナー
１３・・・ストロー
１４・・・飲料水
１５・・・スピーカー
【図１】
0003176740.tif 000003
【図２】
0003176740.tif 000004
【図３】
0003176740.tif 000005
【図４】
0003176740.tif 000006
【図５】
0003176740.tif 000007
【図６】
0003176740.tif 000008
(57)【要約】      （修正有）【課題】天候に左右されず、電力消費も少なく、空気循環で臭気、塵埃、カビ等の除去を可能とする雪水乾燥装置を提供する。【解決手段】通気性を備えるケース体に雪氷１１を詰めた複数の冷却コンテナ１２を格納してなる断熱構造の雪氷室１０と、乾燥対象物を通気性のある棚部に配置してなる乾燥室２０と、雪氷室１０と乾燥室２０とを連通させる通気スペース３０と、この通気スペース３０の経路内に配した送気用のファン装置３１と、雪氷室１０からの冷気を暖める加温装置３２を備える一方、乾燥室２０の空気を再度雪氷室１０に戻す通気ダクト４０を設ける。【選択図】図１
0003176731.tif 000002
【実用新案登録請求の範囲】
【請求項１】
通気性を備えるケース体に雪氷を詰めた複数の冷却コンテナを格納してなる雪氷室と、
乾燥対象物を通気性のある棚部に配置してなる乾燥室と、
雪氷室と乾燥室とを連通させる通気スペースと、
この通気スペースの経路内に配した送気用のファン装置と雪氷室からの冷気を暖める加温装置を備える一方、
乾燥室の空気を再度雪氷室に戻す通気ダクトからなる雪氷乾燥装置。
【考案の詳細な説明】
【技術分野】
【０００１】  本実用新案は、魚介の干物、干し椎茸や切り干し大根などの製造装置に係る、とくに雪氷冷熱を用いた乾燥装置と加温装置の組合せに関する。
【背景技術】
【０００２】  雪氷エネルギーは農産物等の冷蔵や施設等の冷房に活用されているが、雪氷表面に直接空気を接触させると、空気中の水分が雪氷表面で結露し、低温の乾燥空気ができる。【０００３】  この乾燥空気を加温し相対湿度を低下させ後、乾燥室へ供給し対象物の水分を奪うことで乾燥品を作る。【０００４】  湿った雪氷表面は水溶性のガスを吸着し、とくに魚介類の場合に特有の臭気を取り除くことができる。
【先行技術文献】
【０００５】
【特許文献】
【特許文献】  特開平９−２１０４０７  雪氷−空気、直接接触熱交換を特徴とする、全空気方式・雪氷空調システム  特開平８−２１９４９０  雪を利用した冷房、冷蔵方法
【実用新案の概要】
【実用新案が解決しようとする課題】
【０００６】  天候に左右されず、電力消費も少なく、空気循環で臭気、塵埃、カビ等の除去を可能とする。
【課題を解決するための手段】
【０００７】  前記の目的を達成して課題を解決するため、本実用新案に係る雪氷乾燥装置は、通気性を備えるケース体に雪氷を詰めた複数の冷却コンテナを格納してなる断熱構造の雪氷室と、乾燥対象物を通気性のある棚部に配置してなる乾燥室と、雪氷室と乾燥室とを連通させる通気スペースと、この通気スペースの経路内に配した送気用のファン装置と、雪氷室からの冷気を暖める加温装置を備える一方、乾燥室の空気を再度雪氷室に戻す通気ダクトを設ける。
【実用新案の効果】
【０００８】  天候に左右されない低コストの乾燥が可能となる。
【０００９】  雪氷表面の吸着効果で脱臭、除塵、カビ等を除去し衛生的な乾燥品を作ることができる。
【図面の簡単な説明】
【００１０】
【図１】実施形態に係る雪氷乾燥装置を例示する図である。
【実用新案を実施するための形態】
【００１１】  図１は本実用新案に係る雪氷乾燥装置の一実施形態を示すものである。１０は雪氷室、２０は乾燥室、３０は、雪氷室１０と乾燥室２０とを連絡する通気スペースであり、この通気スペース３０の経路内に、送気ファン装置３１と加温装置３２を設けてある。
【００１２】  乾燥室２０から雪氷室１０へ空気を戻す通気ダクト４０を設ける。
【００１３】  乾燥室２０には、室内空気を撹拌するための装置２１を設ける。
【符号の説明】
【００１４】    １０  雪氷室
１１  雪氷
１２  冷却コンテナ
１３  断熱構造
１４  冷気取り入れ口
１５  排水口
２０  乾燥室
２１  空気撹拌装置
２２  乾燥空気吹き出し口
２３  乾燥棚
３０  通気スペース
３１  送気ファン装置
３２  加温装置
４０  戻り通気ダクト
【図１】
0003176731.tif 000003
(57)【要約】【課題】  本考案は日の出から日没まで、および春夏秋冬太陽の位置角度において、太陽光を常にパネル表面に垂直にあてることを容易とし、発電効率を最大限に上げる。【解決手段】本考案はパネル１裏側縦軸中心線位置にシャフト２を設け、太陽追尾センサー電池付モーター７の正逆回転運動を、ベルト４を回してシャフト２に伝えることで、パネル１表面を日の出から日没まで、太陽に対して常に垂直に向けることを可能とし、また、台座６とパネル台３の上側位置に設けた昇降機５の伸張可動により、年間の太陽位置角度の変化に対してパネル１表面を常に垂直に向けるよう修正することを容易としたことで、発電効率を上げることを可能とする。【選択図】図１
0003176737.tif 000002
【実用新案登録請求の範囲】
【請求項１】
縦長長方形に形成したソーラーパネルの裏側、縦軸中心線位置に回転シャフトを設け、ソーラーパネル表面を、左右首振り自在を可能としたことを特長とした、ひまわりソーラーパネル。
【請求項２】
縦長長方形に形成したソーラーパネルの台座下側、および、パネル台下側をヒンジで接続し、台座上側、および、パネル台上側位置に昇降機を設けたことにより、パネル台の角度変更設定を可能としたことを特長とした、ひまわりソーラーパネル。
【考案の詳細な説明】
【技術分野】
【０００１】  本考案は、日照時間帯において、太陽光をソーラーパネルに常に垂直にうけるよう、太陽追尾センサーに連動させた可動式ソーラーパネルを設けた、ソーラー発電に関するものである。
【背景技術】
【０００２】  家屋の屋根上にて太陽光を垂直に受ける場合、ソーラーパネルを屋根と平行に固定して設置しては、日照時間帯において強い太陽光を受けるに対し、太陽がパネル面の真上にくるまで待たなければならなかった。
【考案の開示】
【考案が解決しようとする課題】
【０００３】  固定されたソーラーパネルでは、太陽光を垂直に受ける時間が限定されてしまうため、発電ロスが大きく、容量を上げるとしたらソーラーパネルを増やさなければならず、スペースも広く必要になり、また、経済的負担も大きくなる。
従って、ソーラーパネルの機能に、太陽追尾センサーと連動した回転軸、および上側に昇降機の機能を一体化することにより、パネル面を常に太陽と垂直に設定し、前述の欠点を解決しようとするものである。
【課題を解決するための手段】
【０００４】  本考案は、ソーラーパネル本体裏側中心線位置にシャフトを設け、かつ、パネル台上下側に一体化した回転軸受けと接続し、チェーンまたはベルト等をかいし、適度な位置に設置した太陽追尾センサー電池付モーターで駆動し、また、台座および、パネル台上側に設けた昇降機ともども太陽追尾センサーと連動することで、日照時間帯においては、ソーラーパネル面を常に太陽と垂直状態にすることにより問題点を解決している。
【考案の効果】
【０００５】  上述のように、本考案のひまわりソーラーパネルはソーラーパネル本体に太陽光を受光することはもちろん、太陽追尾センサーと連動した回転軸、および昇降機をひまわりソーラーパネルに設けたことで、日照時間帯は常に太陽光をソーラーパネルに垂直に当てることを、可能としたことにより、発電効率は大幅に向上するものである。
【考案を実施するための最良の形態】
【０００６】  太陽光を受けて発電をするひまわりソーラーパネルは、裏側中心線位置に設けたシャフトを中心に、左右首振り回転を自在としたことで、日の出から日没まで、常に太陽光を垂直に受ける角度にパネル表面を向けることを容易とし、また、台座とパネル台の下側をヒンジで接続し、かつ、台座とパネル台の上側位置に昇降機を設けたことにより、パネル台の傾斜角の変更設定が可能となり、季節による太陽位置角度の変化に対応修正することでソーラーパネル表面を常に太陽に対し垂直に保つことを可能とした。
【実施例】
【０００７】  以下添付図面に従って一実施例を説明する。
１はソーラーパネルで、裏側中心線位置に設けたシャフト２と連動し、太陽追尾センサー電池付モーター７にてベルト４をかいし、左右首振り可動をするものである。【０００８】  ５は昇降機であり、台座６とパネル台３の上側位置に設け、かつ、台座６とパネル台３の下側をヒンジ８で接続することによりパネル台上側を上下可動を可能とし、季節の変化による太陽位置角度の変化に対し、パネル台に取り付けたソーラーパネルの角度を修正する。
【図面の簡単な説明】
【０００９】
【図１】本考案のひまわりソーラーパネルの実施例を示す斜視図である。
【図２】本考案のひまわりソーラーパネルの実施例を示す正面図である。
【図３】本考案のひまわりソーラーパネルの実施例を示す側面図である。
【図４】本考案のひまわりソーラーパネルの平面図である。
【図５】本考案のひまわりソーラーパネルの側面図である。
【符号の説明】
【００１０】１  ソーラーパネル
２  シャフト
３  パネル台
４  ベルト
５  昇降機
６  台座
７  太陽追尾センサー電池付モーター
８  ヒンジ
【図１】
0003176737.tif 000003
【図２】
0003176737.tif 000004
【図３】
0003176737.tif 000005
【図４】
0003176737.tif 000006
【図５】
0003176737.tif 000007
(57)【要約】      （修正有）【課題】線香皿本体と蓋とからなる通常の渦巻香の線香皿において、線香の火を蓋を用いて消すことができる線香皿の蓋を提供する。【解決手段】水平に置くタイプの線香皿の場合、蓋Ａ２の側壁の一部に不燃性の消火具Ａ１を耐熱性接着剤または半田によって取り付ける。線香の火を消すときには、消化具Ａの端が線香に触れるように消化具Ａの端と線香皿本体のマットとの距離を短くする。吊り下げるタイプの線香皿の場合、蓋のネット上で蓋の縁寄りの一部に不燃性の消火具を耐熱性接着剤または半田によって取り付ける。なお、消火具を線香皿の蓋に半田で取り付けた場合、半田が溶け始めるまでに線香の火は消えるので問題ない。【選択図】図２
0003176761.tif 000002
【実用新案登録請求の範囲】
【請求項１】
線香皿本体と蓋とからなる通常の渦巻香の線香皿において、水平に置くタイプの場合、蓋Ａの側壁の一部に不燃性部材で作った線香の火を消すための消火具Ａを取り付けたことを特徴とする消火具付き線香皿の蓋
【請求項２】
線香皿本体と蓋とからなる通常の渦巻香の線香皿において、吊り下げるタイプの場合、蓋Ｂのネット上で蓋Ｂの縁寄りの一部に不燃性部材で作った線香の火を消すための消火具Ｂを取り付けたことを特徴とする消火具付き線香皿の蓋
【考案の詳細な説明】
【技術分野】
【０００１】線香皿本体と蓋とからなる通常の渦巻香の線香皿において、線香の火を消すための消火具を蓋の一部に取り付けることに関するものである。
【背景技術】
【０００２】従来は、線香皿本体と蓋とからなる通常の渦巻香の線香皿において、線香の火を消すとき線香皿本体の縁に消火具を備える案はあったが、蓋に消火具を取り付ける案はなかった。
【先行技術文献】
【考案の概要】
【考案が解決しようとする課題】
【０００３】線香皿本体と蓋とからなる通常の渦巻香の線香皿において、線香の火を蓋を用いて消すことができるようにする。
【課題を解決するための手段】
【０００４】課題を解決するための手段の例を次に示す。【０００５】水平に置くタイプの線香皿の場合、蓋Ａの側壁の一部に不燃性の消火具Ａを耐熱性接着剤または半田によって取り付ける。
その他の手段として、消火具Ａの線香に触れない側で側壁を挟んで取り付ける方法などがある。【０００６】吊り下げるタイプの線香皿の場合、蓋Ｂのネット上で蓋Ｂの縁寄りの一部に不燃性の消火具Ｂを耐熱性接着剤または半田によって取り付ける。【０００７】消火具を線香皿の蓋に半田で取り付けた場合、半田が溶け始めるまでに線香の火は消えるので問題ない。
【考案の効果】
【０００８】線香皿本体内で燃焼中の線香の火を消すためには、最初に蓋を開けなければならない。
従来は、蓋を開けてからクリップ等の火を消すための物を用いていた。
本考案の蓋に取り付けた消火具を使えば、クリップ等を用意する必要が無くなり、大変便利である。【０００９】本考案では、蓋をした状態で火を消すので消えるまで安全である。
【図面の簡単な説明】
【００１０】
【図１】水平に置くタイプの蓋Ａに取り付ける消火具Ａの実施例の斜視図である。
【図２】水平に置くタイプの蓋Ａの側壁の一部に、消火具Ａを取り付けた実施例の平面図である。
【図３】図２において、蓋Ａに消火具Ａを取り付けた実施例の断面図である。
【図４】吊り下げるタイプの蓋Ｂに取り付ける消火具Ｂの実施例の平面図である。
【図５】吊り下げるタイプの蓋Ｂに消火具Ｂを取り付けた実施例の平面図である。
【図６】吊り下げるタイプの線香皿での線香の燃焼中における消火具Ｂと線香との位置関係を示す実施例の平面図である。水平に置くタイプの場合もほぼ同様である。なお、図６はネットを省いた図である。
【図７】吊り下げるタイプの線香皿での線香の消火中における消火具Ｂと線香との位置関係を示す実施例の平面図である。水平に置くタイプの場合もほぼ同様である。なお、図７はネットを省いた図である。
【考案を実施するための形態】
【００１１】水平に置くタイプの場合、蓋Ａの側壁の任意の位置に消火具Ａを耐熱性接着剤または半田によって取り付けるが、線香の火を消すとき消火具Ａの端が線香に触れるようにするために、消火具Ａの端と線香皿本体のマットとの距離を短くする。
【００１２】吊り下げるタイプの場合、蓋Ｂのネット上で蓋Ｂの縁寄りの任意の位置に消火具Ｂを耐熱性接着剤または半田によって取り付ける。
【産業上の利用可能性】
【００１３】既存の線香皿の蓋に、薄い金属板などの不燃部材で作った消火具を取り付けるだけのため、低コストで量産し易い。
【符号の説明】
【００１４】１  消火具Ａ
２  蓋Ａ
３  消火具Ｂ
４  蓋Ｂ
５  線香
【図１】
0003176761.tif 000003
【図２】
0003176761.tif 000004
【図３】
0003176761.tif 000005
【図４】
0003176761.tif 000006
【図５】
0003176761.tif 000007
【図６】
0003176761.tif 000008
【図７】
0003176761.tif 000009